(57)【要約】【課題】本発明は、装置を小型化できる画像形成装置を提供することを目的とする。【解決手段】本発明に係る画像記録装置の代表的な構成は、レーザ光を感光ドラム１１７上に走査するレーザスキャナユニット１０７と、感光ドラム１１７上に形成されたトナー像を記録シートに転写するＣＲＧ１０８と、ＣＲＧ１０８を駆動する高圧駆動回路部１３１ａと画像形成装置の全般制御を行う周辺回路部１３１ｂとレーザ光を感光ドラム１１７に照射するための開口部１３１ｃとを有する高圧周辺回路基板１３１と、レーザスキャナユニット１０７を配置するためのスキャナユニットステイ１３０と、を有する画像形成装置において、スキャナユニットステイ１３０の上に高圧周辺回路基板１３１を配置したことを特徴とする。【選択図】      図１
2007057625.tif 000002
【特許請求の範囲】
【請求項１】
レーザ光を像担持体上に走査する走査光学装置と、
前記像担持体上に形成されたトナー像を記録シートに転写する画像形成部と、
前記画像形成部を駆動する高圧駆動回路部と画像形成装置の全般制御を行う制御回路部とレーザ光を前記像担持体に照射するための開口部とを有する高圧周辺回路基板と、
前記走査光学装置を配置するための配置手段と、を有する画像形成装置において、
前記配置手段の上に前記高圧周辺回路基板を配置したことを特徴とする画像形成装置。
【請求項２】
前記高圧駆動回路部は、前記配置手段と前記走査光学装置との間に配置されることを特徴とする請求項１に記載の画像形成装置。
【請求項３】
前記制御回路部は、前記走査光学装置の横に配置されることを特徴とする請求項１又は請求項２に記載の画像形成装置。
【請求項４】
画像形成部と高圧駆動回路部との接点部を、画像形成部の垂直方向上方に有することを特徴とする請求項１〜請求項３のいずれか１項に記載の画像記録装置。 
【発明の詳細な説明】
【技術分野】
【０００１】
本発明は複写機やレーザプリンタ等の電子写真プロセスを用いた画像記録装置に関するものである。
【背景技術】
【０００２】
図６は従来の電子写真プロセスを用いたレーザビームプリンタ等の画像記録装置の構成図である。図６に示すように、従来の画像記録装置の配置構成は、本体上部からレーザスキャナユニット１０７、スキャナユニットステイ１３０、画像形成部（ＣＲＧ）１０８、シート搬送路１２７、制御基板１２６といった順での配置構成となっている。
【０００３】
【特許文献１】特開平０６−２０２３９８号公報（図１）
【発明の開示】
【発明が解決しようとする課題】
【０００４】
上記従来例の構成においては、制御基板１２６上に高圧駆動回路部１２６ａと周辺回路部１２６ｂと、電源回路部１２６ｃ等の回路部品が実装されている。
【０００５】
このような構成の場合、高圧駆動回路部１２６ａ、電源回路部１２６ｃには部品形状が大きなものが多いためにこの制御基板１２６を配置するための大きなスペースが必要であり、装置が大型化するという問題があった。
【０００６】
そこで本発明は、装置を小型化できる画像形成装置を提供することを目的とする。
【課題を解決するための手段】
【０００７】
上記課題を解決するために本発明に係る画像記録装置の代表的な構成は、レーザ光を像担持体上に走査する走査光学装置と、前記像担持体上に形成されたトナー像を記録シートに転写する画像形成部と、前記画像形成部を駆動する高圧駆動回路部と画像形成装置の全般制御を行う制御回路部とレーザ光を前記像担持体に照射するための開口部とを有する高圧周辺回路基板と、前記走査光学装置を配置するための配置手段と、を有する画像形成装置において、前記配置手段の上に前記高圧周辺回路基板を配置したことを特徴とする。
【発明の効果】
【０００８】
本発明によれば、装置を小型化できる。
【発明を実施するための最良の形態】
【０００９】
[第一実施形態]
本発明に係る画像記録装置の第一実施形態について、図を用いて説明する。図１は本実施形態にかかる電子写真プロセスを用いた画像記録装置の構成図である。図２（ａ）は画像記録装置の上側部分を横から見た図、（ｂ）前面から見た図、（ｃ）上面から見た図である。
【００１０】
（画像形成装置の全体構成）
図１に示すように、画像形成装置は、レーザビームプリンタ本体１０１と走査光学装置であるレーザスキャナユニット１０７を有している。
【００１１】
ユニット１０７は、レーザユニット１１３、ポリゴンモータ１１４ａ、ポリゴンミラー１１４ｂ、結像レンズ１１５、１１６を有している。レーザユニット１１３は、画像信号（画像信号ＶＤＯ）に基づいて変調されたレーザ光を発光する。レーザユニット１１３で発光されたレーザ光は、ポリゴンモータ１１４ａによって回転するポリゴンミラー１１４ｂで偏光され、結像レンズ１１５、折り返しミラー１１６を介して像担持体である感光ドラム１１７上に走査される。
【００１２】
本体１０１は、カセット１０２、給送ローラ１０５、レジストローラ対１０６、画像形成部（（カートリッジ、以下ＣＲＧという））１０８、定着器１０９を有している。また、排出ローラ１１１、積載トレイ１１２、転写ローラ１２１、メインモータ１２３、配置手段であるスキャナユニットステイ１３０、高圧周辺回路基板１３１、電源回路基板１３２を有している。
【００１３】
カセット１０２に収納された記録シートＳは、給送ローラ１０５によってシート搬送路１２７にガイドされてレジストローラ対１０６へ給送される。給送された記録シートＳは、レジストローラ対１０６によってシート搬送路１２７をガイドされてＣＲＧ１０８（感光ドラム１１７と転写ローラ１２１とのニップ部）へ同期搬送される。
【００１４】
ＣＲＧ１０８は、公知の電子写真プロセスに必要な、感光ドラム１１７、１次帯電ローラ１１９、現像器１２０、クリーナ１２２を有している。ＣＲＧ１０８は、ユニット１０７からのレーザ光に基づいて記録シートＳ上にトナー像を形成する。１次帯電ローラ１１９は感光ドラム１１７に電圧を印加し、一様に帯電する。この一様に帯電した１１７は、レーザ光を露光され、静電潜像を形成する。現像器１２０は静電潜像にトナーを塗布してトナー像を形成する。クリーナ１２２はトナー像を転写した後に、感光ドラム１１７に残った残留トナーを除去し、感光ドラム１１７をクリーニングする。ニップ部に搬送された記録シートＳは、トナー像を転写され、画像形成される。
【００１５】
ＣＲＧ１０８で画像形成された記録シートＳは、定着器１０９に搬送される。定着器１０９は、定着フィルム１０９ａ、加圧ローラ１０９ｂ、定着フィルム内部に設けられた発熱体を備えたセラミックヒータ１０９ｃ、セラミックヒータ１０９ｃの発熱体毎の表面温度を検出するサーミスタ１０９ｄから構成されている。定着器１０９に搬送された記録シートＳは、トナー像を加熱加圧定着される。トナー像を定着された記録シートＳは、排出ローラ１１１によって積載トレイ１１２に排出され、積載される。
【００１６】
メインモータ１２３は、給送ローラクラッチ１２４を介して給送ローラ１０５に駆動力を与えており、レジストローラ１２５を介してレジストローラ対１０６に駆動力を与えている。更にメインモータ１２３は、ＣＲＧ１０８、定着器１０９、排出ローラ１１１にも駆動力を与えている。
【００１７】
スキャナユニットステイ１３０は、金属等で形成されており、ＣＲＧ１０８の上面に設けられている。ステイ１３０の上部には、ユニット１０７が配置される。ステイ１３０には、レーザユニット１１３からのレーザ光をＣＲＧ１０８の感光ドラム１１７に照射するためのレーザ照射開口部１３０ａが設けられている。
【００１８】
（高圧周辺回路基板１３１、電源回路基板１３２の配置）
スキャナユニットステイ１３０上（ステイ１３０とユニット１０７の間）に、高圧周辺回路基板１３１が載置されている。高圧周辺回路基板１３１は、高圧駆動回路部１３１ａ、制御回路部である周辺回路部１３１ｂを有している。
【００１９】
高圧駆動回路部１３１ａは、電子写真プロセスを駆動する高圧回路で構成されている。周辺回路部１３１ｂは、シート搬送制御等の画像形成装置の全般制御を行っている。
【００２０】
高圧駆動回路部１３１ａは背が高い部品で構成されており、周辺回路部１３１ｂはＣＰＵ周りの背の低い部品で構成されている。図１、図２（ｂ）に示すように、高圧駆動回路部１３１ａはユニット１０７の横に配置され、周辺回路部１３１ｂはユニット１０７の下部に配置されている。
【００２１】
高圧周辺回路基板１３１は、レーザ光をユニット１０７から感光ドラム１１７に照射するための開口部１３１ｃを有している。
【００２２】
ＣＲＧ１０８の下部には高圧電圧印加用の接点部である帯電接点１０８ａ、現像接点１０８ｂが設けられている。高圧駆動回路部１３１ａは、帯電接点バネ１７０、帯電接点１０８ａを介して１次帯電ローラ１１９に帯電電圧を印加する。高圧駆動回路部１２６ａは、現像接点バネ１７１、現像接点１０８ｂを介して現像器１２０に現像電圧を印加する。また、高圧駆動回路部１３１ａは、転写接点バネ１７２等を介して転写ローラ１２１に転写電圧を印加する。なお、帯電接点１０８ａ、現像接点１０８ｂから１次帯電ローラ１１９、転写ローラ１２１への通電は、ＣＲＧ１０８内に配線することで行われている。
【００２３】
電源回路基板１３２は、電源回路部１３２ｃを有している。電源回路基板１３２は、シート搬送路１２７下（本体１０１の最下部）に設けられている。なお、電源回路基板１３２は、本体１０１の側面に設けてもよい。
【００２４】
以上のように、画像記録装置の配置構成は、本体上部からユニット１０７、高圧周辺回路基板１３１、ステイ１３０、ＣＲＧ１０８、シート搬送路１２７、電源回路基板１３２の順での配置構成となっている。
【００２５】
かかる構成とすることで、ステイ１３０上のスペース、ユニット１０７の周辺のスペースを有効に利用でき、画像形成装置の小型化を図ることができる。
【００２６】
[第二実施形態]
次に本発明に係る画像記録装置の第二実施形態について図を用いて説明する。図３は本実施形態のＣＲＧ１０８、スキャナユニットステイ１３０、高圧周辺回路基板１３１、ユニット１０７の３次元配置図である。図４は図３を前面からみた断面図である。上記第一実施形態と説明の重複する部分については、同一の符号を付して説明を省略する。
【００２７】
本実施形態の画像形成装置は、上記第一実施形態の構成において、帯電接点１０８ａ、現像接点１０８ｂを、ＣＲＧ１０８の上部、かつ高圧周辺回路基板１３１の下部に配置したものである。
【００２８】
高圧周辺回路基板１３１の高圧駆動回路部１３１ａの下部からは帯電接点バネ１８０が設けられ、ＣＲＧ１０８上部の帯電接点１０８ａと接触している。
【００２９】
図５に高圧周辺回路基板１３１との帯電接触部分についての一例を示す。図５（ａ）に示すように、高圧周辺回路基板１３１のパターン上に半田１９０をレジスト無しで半田盛りしている。図５（ｂ）に示すように、帯電接点バネ１８０が半田１９０と接触する。なお、現像接点バネ１８１も同様に半田１９０を介して高圧周辺回路基板１３１のパターンと通電している。
【００３０】
このように、ＣＲＧ１０８と高圧周辺回路基板１３１の接点（帯電接点１０８ａ、現像接点１０８ｂ）を上部に配置する。これにより、トナーが帯電接点１０８ａ、現像接点１０８ｂに落下することを防止する部材を設ける必要がなく、低コストで接点不良を防止することができる。
【図面の簡単な説明】
【００３１】
【図１】第一実施形態にかかる画像記録装置の構成図である。
【図２】スキャナユニットステイ周辺の配置図である。
【図３】第二実施形態にかかる画像形成部、配置手段、高圧周辺回路基板、走査光学装置の３次元配置図である。
【図４】第二実施形態にかかるスキャナユニットステイ周辺の断面図である。
【図５】第二実施形態にかかる基板側接触部の図である。
【図６】従来の画像記録装置の構成図である。
【符号の説明】
【００３２】
Ｓ…記録シート、１０１…レーザビームプリンタ本体、１０２…カセット、１０５…給送ローラ、１０６…レジストローラ対、１０７…レーザスキャナユニット（走査光学装置に対応）、１０８…画像形成部、１０８ａ…帯電接点（接点部に対応）、１０８ｂ…現像接点（接点部に対応）、１０９…定着器、１０９ａ…定着フィルム、１０９ｂ…加圧ローラ、１０９ｃ…セラミックヒータ、１０９ｄ…サーミスタ、１１１…排出ローラ、１１２…積載トレイ、１１３…レーザユニット、１１４ａ…ポリゴンモータ、１１４ｂ…ポリゴンミラー、１１５…結像レンズ、１１６…折り返しミラー、１１７…感光ドラム（像担持体に対応）、１１９…１次帯電ローラ、１２０…現像器、１２１…転写ローラ、１２２…クリーナ、１２３…メインモータ、１２４…給送ローラクラッチ、１２５…レジストローラ、１２６…制御基板、１２７…シート搬送路、１３０…スキャナユニットステイ（配置手段に対応）、１３０ａ…レーザ照射開口部、１３１…高圧周辺回路基板、１３１ａ…高圧駆動回路部、１３１ｂ…周辺回路部（制御回路部に対応）、１３１ｃ…開口部、１３２…電源回路基板、１７０…帯電接点バネ、１７１…現像接点バネ、１７２…転写接点バネ、１７２…バネ、１８０…帯電接点バネ、１８１…現像接点バネ、１８２…転写接点バネ、１９０…半田
【図１】
2007057625.tif 000003
【図２】
2007057625.tif 000004
【図３】
2007057625.tif 000005
【図４】
2007057625.tif 000006
【図５】
2007057625.tif 000007
【図６】
2007057625.tif 000008